(57)【特許請求の範囲】
【請求項１】
バッテリパックを収納するバッテリ収納部に、
前記バッテリパックの端子と対向する面に前記バッテリパックの第１の凸部が挿入される第１の凹部を設け、
前記第１の凹部が設けられる面と対向する面に前記バッテリパックの第２の凸部が挿入される第２の凹部を設け、
前記第１の凹部が設けられている面に前記バッテリパックの前記第２の凸部を前記第２の凹部方向に加圧する弾性部材を設け、
前記バッテリパックの両端面の前記第１及び第２の凸部をそれぞれ対向する前記第１及び第２の凹部に挿入して前記バッテリパックを機器内部に収納することを特徴とする携帯型電子機器。
【請求項２】
バッテリパックを収納するバッテリ収納部に、
前記バッテリパックの端子と対向する面に前記バッテリパックの第１の凸部が挿入される第１の凹部を設け、
前記第１の凹部が設けられる面と対向する面に前記バッテリパックの第２の凸部が挿入される第２の凹部を設け、
前記第１の凹部が設けられている面に前記バッテリパックの前記第２の凸部を前記第２の凹部方向に加圧する弾性部材を設け、
前記バッテリパックを機器内部に収納した状態で前記バッテリパックを覆うバッテリカバーの一方の端部を開閉可能に支持し、前記一方の端部の近傍に凸部を設けたことを特徴とする携帯型電子機器。
【請求項３】
バッテリパックを収納するバッテリ収納部に、
前記バッテリパックの端子と対向する面に前記バッテリパックの第１の凸部が挿入される第１の凹部を設け、
前記第１の凹部が設けられる面と対向する面に前記バッテリパックの第２の凸部が挿入される第２の凹部を設け、
前記バッテリパックの両端面に設けられた前記第１及び第２の凸部をそれぞれ対向する前記第１及び第２の凹部に挿入して前記バッテリパックを機器内部に収納することを特徴とする携帯型電子機器。
【請求項４】
バッテリパックを収納するバッテリ収納部に、
前記バッテリパックの端子と対向する面に前記バッテリパックの第１の凸部が挿入される第１の凹部を設け、
前記第１の凹部が設けられる面と対向する面に前記バッテリパックの第２の凸部が挿入される第２の凹部を設け、
前記バッテリパックを機器内部に収納した状態で前記バッテリパックを覆うバッテリカバーの一方の端部を開閉可能に支持し、前記一方の端部または他方の端部の近傍に前記バッテリパックの端子方向のがたを抑えるための凸部を設けたことを特徴とする携帯型電子機器。
【発明の詳細な説明】
【０００１】
【発明の属する技術分野】
本発明は、携帯型電子機器に関する。
【０００２】
【従来の技術】
ノート型のパーソナルコンピュータ等の携帯型電子機器はバッテリを内蔵し、機器を交流電源に接続しなくとも、バッテリパックにより一定時間使用できるようになっている。バッテリによる機器の使用可能時間は、携帯型電子機器の低消費電力化とバッテリパックの寿命の向上により延びてきている。
【０００３】
【発明が解決しようとする課題】
バッテリパックは機器のバッテリ収納部に収納されるが、携帯型の機器はユーザが誤って落下させたりして機器に衝撃が加わることがある。機器に衝撃が加わると、バッテリ収納部に収納されているバッテリパックが外に飛び出す方向の力が働くので、バッテリパックが機器の外部に飛び出し、機器に内蔵されるメモリ等に記憶されているデータが失われる可能性がある。そのため、簡単な構造で、かつ衝撃が加わったときにもバッテリパックを確実に機器の内部に保持できるバッテリ収納機構が求められている。
【０００４】
また、バッテリパックをバッテリ収納部に挿入する際に、ユーザが誤ってバッテリパックの極性を逆にして挿入してしまうことがあり、誤挿入に気がつかないと、電源を切ったときにメモリのデータが失われてしまう可能性がある。さらに、バッテリパックの端子が金属等に触れてバッテリパックが短絡されてしまうという問題点もあった。
【０００５】
本発明の課題は、衝撃が加わった場合でも、バッテリパックを確実に機器内部に保持できるようにすることである。
【０００６】
【課題を解決するための手段】
本発明の携帯型電子機器は、バッテリパックを収納するバッテリ収納部に、前記バッテリパックの端子と対向する面に前記バッテリパックの第１の凸部が挿入される第１の凹部を設け、前記第１の凸部が設けられる面と対向する面に前記バッテリパックの第２の凸部が挿入される第２の凹部を設け、前記第１の凹部が設けられている面に前記バッテリパックの前記第２の凸部を前記第２の凹部方向に加圧する弾性部材を設け、前記バッテリパックの両端面の前記第１及び第２の凸部をそれぞれ対向する前記第１及び第２の凹部に挿入して前記バッテリパックを機器内部に収納するよう構成する。
【０００７】
この発明によれば、バッテリパックの両端面に設けられた第１及び第２の凸部が、機器側の対応する第１及び第２の凹部と係合し、さらに弾性部材によりバッテリパックの第２の凸部が機器側の第２の凹部に押し込まれる。従って、落下の衝撃等が加わっても、バッテリパックの凸部が機器側の凹部と係合し、バッテリパックが機器の外に飛び出すのを防止できる。
【０００８】
本発明の他の携帯型電子機器は、バッテリパックを収納するバッテリ収納部に、前記バッテリパックの端子と対向する面に前記バッテリパックの第１の凸部が挿入される第１の凹部を設け、前記第１の凹部が設けられる面と対向する面に前記バッテリパックの第２の凸部が挿入される第２の凹部を設け、前記第１の凹部が設けられている面に前記バッテリパックの前記第２の凸部を前記第２の凹部方向に加圧する弾性部材を設け、前記バッテリパックを機器内部に収納した状態で前記バッテリパックを覆うバッテリカバーの一方の端部を開閉可能に支持し、前記一方の端部の近傍に凸部を設けるように構成する。
【０００９】
この発明によれば、バッテリパックの両端面に設けた第１及び第２の凸部が機器側の対応する第１及び第２の凹部と係合し、さらにバッテリカバーを閉じたときに、バッテリカバーの一方の端部の近傍に設けた突起によりバッテリパックの第２の凸部が機器側の第２の凹部に押し込められ、例えば、バッテリパックの水平方向のガタが少なくなるので、落下の衝撃等が加わっても、バッテリパックがバッテリ収納機構の外部に飛び出しにくくなる。
【００１０】
【発明の実施の形態】
以下、本発明を図面を参照しながら説明する。図１は、本発明の第１の実施の形態の携帯型電子機器のバッテリ収納部（バッテリ収納機構）とそのバッテリ収納部に収納されるバッテリパックの外観斜視図である。この実施の形態は、本発明をバーコードの読み取り機能を有するハンドヘルドターミナルに適用したものである。
【００１１】
バッテリパック３１の左側面３１ａには、正極と負極の２個の端子（図示せず）と、その２個の端子の間に端子の上端面より突出した２個の突起３２が設けられている。この突起３２は、バッテリパック３１の左側面３１ａの下端から、左側面３１ａの垂直方向にバッテリパック３１の厚さのほぼ２／３の位置まで所定幅で形成されている。すなわち、突起３２は、バッテリパック３１を中央部で水平方向に切断したときの断面に対して非対称な形状となっている。
【００１２】
バッテリパック３１の右側面３１ｂには、２個の突起３３が設けられている。この突起３３は突起３２と同様にバッテリパック３１の中央部を通る断面に対して非対称な形状をしている。
【００１３】
携帯型電子機器本体３４にはバッテリ収納部３５が設けられ、バッテリ収納部３５の左内側面３５ａのバッテリパック３１の左側の突起３２に対応する位置には２個の凹部３６が設けられ、凹部３６の隣にはそれぞれバネ３７が設けられている。また、バッテリ収納部３５の右内側面３５ｂのバッテリパック３１の右側の突起３３に対応する位置に２個の凹部３８が設けられている。
【００１４】
次に、図２は、第１の実施の形態におけるバッテリパック３１の収納動作の説明図である。
【００１５】
バッテリパック３１をバッテリ収納部３５に収納する場合には、バッテリパック３１の左側面３１ａの突起３２をバッテリ収納部３５の左内側面３５ａの凹部３６に挿入し、さらにバッテリパック３１の右側面３１ｂの突起３３をバッテリ収納部３５の右内側面３５ｂの凹部３８に挿入し、バッテリカバー３８を閉じる。バッテリカバー３８を閉じた状態では、バッテリ収納部３５の左内側面のバネ３７によりバッテリパック３１は、図２の右方向に押されているので、バッテリパック３１の右側面の突起３３がバッテリ収納部３５の右内側面３５ｂの凹部３８に押し込まれ、突起３３が凹部３８から抜けにくくなっている。さらに、バッテリパック３１の左側面の突起３２がバッテリ収納部３５の左内側面３５ａの凹部と係合するので、落下の衝撃等が加わった場合でも、バッテリパック３１がバッテリ収納部３５の外に飛び出しにくくなっている。
【００１６】
この第１の実施の形態のバッテリパック３１は、端子の設けられている面に端子より突出した突起３２を設けているので端子が金属等により短絡されるのを防止できる。さらに、端子の設けられている面及びそれと反対側の面にそれぞれ突起３２，３３を設け、それらの突起３２，３３をバッテリパック３１の中心部を通る断面に対して非対称な形状としているので、バッテリパック３１の端子の極性を逆にしてバッテリ収納部３５に挿入することができなくなっている。
【００１７】
また、この第１の実施の形態のバッテリ収納部３５は、バッテリパック３１の形状に対応させて左内側面３５ａと右内側面３５ｂにそれぞれ凹部３６，２８を設け、さらにバッテリパック３１を右方向に押圧するバネ３７を設けたので、バッテリの機器本体３４に落下の衝撃等が加わっても、突起３２と凹部３６、突起３３と凹部３８が係合してバッテリパック３１がバッテリ収納部３５の外に飛び出すのを防止できる。
【００１８】
次に、図３は、本発明の第２の実施の形態のバッテリパック及びバッテリ収納部の外観斜視図である。
【００１９】
この第２の実施の形態のバッテリパック３１及びバッテリ収納部３１の構成は基本的には上述した第１の実施の形態と同様であり、異なる点はバッテリカバー４１に凸部４２を設け、バッテリパック３１の水平方向のがたを抑えるようにしたことである。
【００２０】
第２の実施の形態のバッテリパック３１の収納動作を図３及び図４を参照して説明する。
【００２１】
先ず、バッテリパック３１の左側面の突起３２をバッテリ収納部３１の左内側面３１ａの凹部３６に挿入し、さらにバッテリパック３１の右側面３５ｂの突起３３をバッテリ収納部３１の右内側面３１ｂの凹部３６に挿入する。バッテリ収納部３５にバッテリパック３１が収納されると、バネ３７によりバッテリパック３１は図４の右方向に押され、バッテリパック３１の右側面３１ｂの突起３３がバッテリ収納部３５の右内側面３５ｂの凹部３８に押し込まれる。
【００２２】
バッテリパック３１を収納した状態でバッテリカバー４１を閉じると、バッテリカバー４１の回転軸側に設けられた凸部４２がバッテリパック３１とバッテリ収納部３５の左内側面との間の隙間に入り、バッテリパック３１の左右方向のがたを少なくする（図４の状態）。なお、バッテリカバー４１の凸部４２は先端から根元に向かって幅が広がっており、バッテリパック３１とバッテリ収納部３５の隙間をより少なくできるようになっている。バッテリパック３１とバッテリ収納部３５との左右方向のガタが少なくなると、バッテリパック３１の右側の突起３３とバッテリ収納部３５の右内側面３５ｂの凹部３８との勘合がより確実になるので、機器本体３４に落下等の衝撃が加わっても、バッテリパック３１が外に飛び出しにくくなる。
【００２３】
この第２の実施の形態のバッテリ収納部３５は、上述した第１の実施の形態の効果に加え、バッテリカバー４１に設けた凸部４２によりバッテリ収納部３５内部におけるバッテリパック３１の水平方向のガタを押さえることができるので、バッテリパック３１の突起３３を凹部３８に確実に係合させ、落下等の衝撃が加わったときに、バッテリパック３１が外に飛び出すのを防止できる。
【００２４】
なお、上述した第１の実施の形態では、バネ３７によりバッテリパック３１を右方向に押しつけるような構造としたが、バネ３７を用いずにバッテリパック３１の突起とバッテリ収納部側の凹部との係合だけでバッテリパック３１を保持するような構造にしても良い。
【００２５】
また、バッテリパック３１，４１の突起の形状は、実施の形態に示したものに限らず、例えば、バッテリパックの下面から上面まで延長し上下で幅の異なる形状、あるいは同一端面の２個の突起が左右で異なる形状であって良い。
【００２６】
また、バネ３７等からなる弾性部材は金属性のものに限らず、プラスチックのバネ、あるいは機器の内部が弾性を有する材料で構成されている場合には、弾性部材を機器本体と一体に形成しても良い。
【００２７】
さらに、第２の実施の形態では、バッテリカバー４１を回転可能に支持する側の端部の近傍に凸部４２を設けたが、バッテリカバー４１の他方の端部の近傍にバッテリパック３１の水平方向のガタを抑える凸部を形成しても良い。
【００２８】
本発明は、実施の形態に述べたハンドヘルドターミナルに限らず、パーソナルコンピュータ、携帯型カセットプレーヤ等の種々の携帯型電子機器に適用できる。
【００２９】
【発明の効果】
本発明によれば、バッテリパックの凸部をバッテリ収納機構の凹部に挿入することで、機器に落下の衝撃等が加わった場合でも、バッテリパックがバッテリ収納機構の外に飛び出すのを防止できる。また、バッテリパックの極性が逆の状態で機器のバッテリ収納部に挿入されるのを防止できる。
【図面の簡単な説明】
【図１】  第１の実施の形態のバッテリパック及びバッテリ収納部の外観斜視図である。
【図２】  第１の実施の形態のバッテリパックの収納動作の説明図である。
【図３】  第２の実施の形態のバッテリパック及びバッテリ収納部の外観斜視図である。
【図４】第２の実施の形態のバッテリパックの収納動作の説明図である。
【符号の説明】
３１          バッテリパック
３５          バッテリ収納部
３２，３３    バッテリパックの突起
３６，３８    バッテリ収納部の凹部
３７          バネ
３８，４１    バッテリカバー
４２          バッテリカバーの凸部
【図１】
0003732361.tif 000002
【図２】
0003732361.tif 000003
【図３】
0003732361.tif 000004
【図４】
0003732361.tif 000005